(57)【要約】【課題】画素部の一部のみを駆動できるようにして不要な電力消費を防止することにより、消費電力の少ない有機電界発光表示装置を提供する。【解決手段】本発明の有機電界発光表示装置は、データ信号Ｄｍと走査信号Ｓｎに対応して画像を表示する画素部１００と、映像信号の供給を受けてデータ信号Ｄｍを出力し、画素部１００の領域に対応してデータ信号Ｄｍを出力する複数のデータ駆動回路２１０、．．．２ｋ０を含むデータ駆動部２００と、走査信号Ｓｎを出力する走査駆動部３００と、複数のデータ駆動回路２１０、．．．２ｋ０が独立して動作できるように制御する制御部４００とを含むことを特徴とする。【選択図】図２
2010164937.tif 000002
【特許請求の範囲】
【請求項１】
データ信号と走査信号に対応して画像を表示する画素部と、
映像信号の供給を受けて前記データ信号を出力し、前記画素部の領域に対応して前記データ信号を出力する第１データ駆動回路と第２データ駆動回路とを含んだデータ駆動部と、
前記走査信号を出力する走査駆動部と、
前記第１データ駆動回路と前記第２データ駆動回路が独立して動作できるように制御する制御部と
を含むことを特徴とする有機電界発光表示装置。
【請求項２】
前記第１データ駆動回路と前記第２データ駆動回路を同時に駆動する場合には、前記映像信号は前記第１データ駆動回路と前記第２データ駆動回路に順次供給されることを特徴とする請求項１に記載の有機電界発光表示装置。
【請求項３】
前記第１データ駆動回路と前記第２データ駆動回路のうち、前記第２データ駆動回路だけを駆動する場合には、前記映像信号は前記第２データ駆動回路のみに供給されることを特徴とする請求項１または請求項２に記載の有機電界発光表示装置。
【請求項４】
前記第１データ駆動回路は、第１シフト信号を発生させる第１シフトレジスタと、前記第１シフト信号に対応して直列に入力される映像信号を並列に出力する第１ラッチ部と、前記映像信号の供給を受けて前記データ信号を出力する第１Ｄ／Ａコンバータとを含み、
前記第２データ駆動回路は、第２シフト信号を発生させる第２シフトレジスタと、前記第２シフト信号に対応して直列に入力される映像信号を並列に出力する第２ラッチ部と、前記映像信号の供給を受けて前記データ信号を出力する第２Ｄ／Ａコンバータとを含むことを特徴とする請求項１乃至請求項３のいずれか１項に記載の有機電界発光表示装置。
【請求項５】
前記第１シフト信号は第１水平同期信号に対応して発生し、前記第２シフト信号は前記第１水平同期信号よりも遅く供給される第２水平同期信号に対応して発生することを特徴とする請求項４に記載の有機電界発光表示装置。
【請求項６】
前記第２データ駆動回路だけを駆動する場合には、前記第１水平同期信号は前記第１データ駆動回路に供給されないことを特徴とする請求項５に記載の有機電界発光表示装置。
【請求項７】
第１シフト信号を発生させる第１シフトレジスタと、前記第１シフト信号に対応して直列に入力される映像信号を並列に出力する第１ラッチ部と、前記映像信号の供給を受けて前記データ信号を出力する第１Ｄ／Ａコンバータとを含む第１データ駆動回路と、
第２シフト信号を発生させる第２シフトレジスタと、前記第２シフト信号に対応して直列に入力される映像信号を並列に出力する第２ラッチ部と、前記映像信号の供給を受けて前記データ信号を出力する第２Ｄ／Ａコンバータとを含む第２データ駆動回路とを含み、
前記第１シフト信号は第１水平同期信号に対応して発生し、前記第２シフト信号は前記第１水平同期信号より遅く供給される第２水平同期信号に対応して発生することを特徴とするデータ駆動部。
【請求項８】
前記第１データ駆動回路と前記第２データ駆動回路を同時に駆動する場合には、前記映像信号は前記第１データ駆動回路と前記第２データ駆動回路に順次供給されることを特徴とする請求項７に記載のデータ駆動部。
【請求項９】
前記第１データ駆動回路と前記第２データ駆動回路のうち、前記第２データ駆動回路だけを駆動する場合には、前記映像信号は前記第２データ駆動回路のみに供給されることを特徴とする請求項７または請求項８に記載のデータ駆動部。
【請求項１０】
前記第２データ駆動回路だけを駆動する場合には、前記第１水平同期信号は前記第１データ駆動回路に供給されないことを特徴とする請求項９に記載のデータ駆動部。
【発明の詳細な説明】
【技術分野】
【０００１】
本発明はデータ駆動部及び有機電界発光表示装置に関し、さらに詳細には、消費電力を低減することのできるデータ駆動部及び有機電界発光表示装置に関する。
【背景技術】
【０００２】
近年、陰極線管（Ｃａｔｈｏｄｅ Ｒａｙ Ｔｕｂｅ）の短所である重さと体積を減らすことができる各種の平板表示装置が開発されている。平板表示装置としては、液晶表示装置（Ｌｉｑｕｉｄ Ｃｒｙｓｔａｌ Ｄｉｓｐｌａｙ Ｄｅｖｉｃｅ）、電界放出表示装置（Ｆｉｅｌｄ Ｅｍｉｓｓｉｏｎ Ｄｉｓｐｌａｙ Ｄｅｖｉｃｅ）、プラズマ表示パネル（Ｐｌａｓｍａ Ｄｉｓｐｌａｙ Ｐａｎｅｌ）及び有機電界発光表示装置（Ｏｒｇａｎｉｃ Ｌｉｇｈｔ Ｅｍｉｔｔｉｎｇ Ｄｉｓｐｌａｙ Ｄｅｖｉｃｅ）などを挙げることができる。
【０００３】
これらの平板表示装置のうち、有機電界発光表示装置は、電流の流れに対応して発生する電子と正孔の再結合によって光を発生する有機発光ダイオード（Ｏｒｇａｎｉｃ Ｌｉｇｈｔ Ｅｍｉｔｔｉｎｇ Ｄｉｏｄｅ：ＯＬＥＤ）を用いて画像を表示する。
【０００４】
このような有機電界発光表示装置は、優れた色再現性や薄さなどの様々な利点があることから応用分野を携帯電話用以外にもＰＤＡやＭＰ３プレーヤーなど大きく広げている。
【０００５】
図１は、一般の有機電界発光表示装置の構成を示す平面図である。図１を参照して説明すれば、有機電界発光表示装置は、画素部１０と、データ駆動部２０と、走査駆動部３０と、制御部４０とを含んでいる。
【０００６】
画素部１０には複数の画素１１が配列され、各画素１１は電流の流れに対応して発光する有機発光ダイオード（図示せず）を含んでいる。そして、画素部１０は行方向に走査信号を伝達するｎ個の走査線Ｓ１、Ｓ２、．．．Ｓｎ-１、Ｓｎと、列方向にデータ信号を伝達するｍ個のデータ線Ｄ１、Ｄ２、．．．Ｄｍ-１、Ｄｍとが配列されている。
【０００７】
また、画素部１０は、第１電源（図示せず）と、第１電源より低い電圧レベルを有する第２電源（図示せず）との伝達を受けて駆動する。従って、画素部１０は、走査信号、データ信号、第１電源及び第２電源によって有機発光ダイオードに電流が流れるようにして、有機発光ダイオードを発光させて映像を表示している。
【０００８】
データ駆動部２０は、制御部４０からデータ駆動部制御信号ＤＣＳと映像信号Ｒ、Ｇ、Ｂ ｄａｔａの供給を受けてデータ信号を生成する。そして、データ駆動部２０は画素部１０のデータ線Ｄ１、Ｄ２、．．．Ｄｍ-１、Ｄｍに連結されて、生成したデータ信号を画素部１０に供給する。
【０００９】
走査駆動部３０は、制御部４０から走査駆動部制御信号ＳＣＳの供給を受けて走査信号を生成する。このような走査駆動部３０は、走査線Ｓ１、Ｓ２、．．．Ｓｎ-１、Ｓｎに連結されて、生成した走査信号を画素部１０の特定の行に供給する。走査信号が供給された画素１１にはデータ駆動部２０から出力されたデータ信号が供給され、データ信号に対応した電圧が画素１１に印加されることになる。
【００１０】
制御部４０は、データ駆動部２０と走査駆動部３０を制御して画素部１０に画像を表示できるように制御する。
【００１１】
上記のように構成された有機電界発光表示装置を携帯電話などに用いる場合、待機モード時には画素部１０の一部領域でのみ日付、時刻などを示す画像が表示され、残りの領域では画像を表示しない状態で駆動される。
【００１２】
このように一部の領域で画像を表示する場合でも、正常な画像を表示するためには画像が表示されない他の部分についても通常の駆動を行う必要がある。即ち、データ駆動部２０全体がデータ信号を出力することになるので、データ駆動部２０は同一の電力を消費することになるという問題点があった。
【先行技術文献】
【特許文献】
【００１３】
【特許文献１】大韓民国特許公開２００７−００２６４４１号
【特許文献２】大韓民国特許公開２００２−００４５４４２号
【発明の概要】
【発明が解決しようとする課題】
【００１４】
本発明は上記事情に鑑みてなされたものであって、その目的は、画素部の一部のみを駆動する場合に不要な電力消費が発生することを防止して、消費電力の少ないデータ駆動部及び有機電界発光表示装置を実現することにある。
【課題を解決するための手段】
【００１５】
上記目的を達成するために、本発明の第１の側面は、データ信号と走査信号に対応して画像を表示する画素部と、映像信号の供給を受けて前記データ信号を出力し、前記画素部の領域に対応して前記データ信号を出力する第１データ駆動回路と第２データ駆動回路とを含んだデータ駆動部と、前記走査信号を出力する走査駆動部と、前記第１データ駆動回路と前記第２データ駆動回路が独立して動作できるように制御する制御部とを含むことを特徴とする有機電界発光表示装置を提供する。
【００１６】
前記目的を達成するために、本発明の第２の側面は、第１シフト信号を発生させる第１シフトレジスタと、前記第１シフト信号に対応して直列に入力される映像信号を並列に出力する第１ラッチ部と、前記映像信号の供給を受けて前記データ信号を出力する第１Ｄ／Ａコンバータとを含む第１データ駆動回路と、第２シフト信号を発生させる第２シフトレジスタと、前記第２シフト信号に対応して直列に入力される映像信号を並列に出力する第２ラッチ部と、前記映像信号の供給を受けて前記データ信号を出力する第２Ｄ／Ａコンバータとを含む第２データ駆動回路とを含み、前記第１シフト信号は第１水平同期信号に対応して発生し、前記第２シフト信号は前記第１水平同期信号より遅く供給される第２水平同期信号に対応して発生することを特徴とするデータ駆動部を提供する。
【発明の効果】
【００１７】
本発明に係るデータ駆動部及び有機電界発光表示装置によれば、複数のデータ駆動部を備え、画素部の一部領域でのみ画像を表示する場合には、複数のデータ駆動部のうちの一部のデータ駆動部のみを駆動させることによって、消費電力を低減できるという効果を発揮している。
【図面の簡単な説明】
【００１８】
【図１】一般の有機電界発光表示装置の構成を示す平面図である。
【図２】本発明に係る有機電界発光表示装置の構成を示す平面図である。
【図３】図２に示したデータ駆動部の構成を示す平面図である。
【発明を実施するための形態】
【００１９】
以下、添付した図面を参照して本発明の実施形態を更に詳細に説明する。
【００２０】
図２は、本発明に係る有機電界発光表示装置の構成を示す平面図である。図２を参照して説明すれば、有機電界発光表示装置は、画素部１００と、データ駆動部２００と、走査駆動部３００と、制御部４００とを含んでいる。
【００２１】
画素部１００には複数の画素１０１が配列され、各画素１０１は電流の流れに対応して発光する有機発光ダイオード（図示せず）を含んでいる。そして、画素部１００は、行方向に走査信号を伝達するｎ個の走査線Ｓ１、Ｓ２、．．．Ｓｎ-１、Ｓｎと、列方向にデータ信号を伝達するｍ個のデータ線Ｄ１、Ｄ２、．．．Ｄｍ-１、Ｄｍとが配列されている。
【００２２】
また、画素部１００は、第１電源と、第１電源より低い電圧レベルを有する第２電源との伝達を受けて駆動する。従って、画素部１００は、走査信号、データ信号、第１電源及び第２電源によって有機発光ダイオードに電流を流し、有機発光ダイオードを発光させて映像を表示する。
【００２３】
データ駆動部２００は、制御部４００からデータ駆動部制御信号ＤＣＳと映像信号Ｒ、Ｇ、Ｂ ｄａｔａの供給を受けてデータ信号を生成する。そして、データ駆動部２００は画素部１００のデータ線Ｄ１、Ｄ２、．．．Ｄｍ-１、Ｄｍに連結され、生成したデータ信号を画素部１００に供給する。また、データ駆動部２００は複数のデータ駆動回路２１０、．．．２ｋ０で構成され、制御部４００によって全てのデータ駆動回路が動作するか、あるいは一部のデータ駆動回路だけが動作するかが決められる。
【００２４】
複数のデータ駆動回路の中で一部のデータ駆動回路だけが動作すれば、画素部１００の所定の領域にのみデータ信号が伝達され、その一部分にのみ画像が表示される。
【００２５】
走査駆動部３００は、制御部４００から走査駆動部制御信号ＳＣＳの伝達を受けて走査信号を生成する。このような走査駆動部３００は、走査線Ｓ１、Ｓ２、．．．Ｓｎ-１、Ｓｎに連結され、生成した走査信号を画素部１００の特定の行に供給する。走査信号が供給された画素１０１にはデータ駆動部２００から出力されたデータ信号が供給されてデータ信号に対応した電圧が画素１０１に印加される。
【００２６】
制御部４００は、データ駆動部２００に映像信号Ｒ、Ｇ、Ｂ ｄａｔａとデータ駆動部制御信号ＤＣＳを伝送し、走査駆動部３００に走査駆動部制御信号ＳＣＳを伝送して画素部１００に画像を表示できるようにする。特に、制御部４００はデータ駆動部２００を構成する複数のデータ駆動回路２１０、．．．２ｋ０の中で、駆動するデータ駆動回路を決定することができる。
【００２７】
図３は、図２に示したデータ駆動部２００の構成を示す平面図である。データ駆動部２００は複数のデータ駆動回路２１０、．．．２ｋ０を含んでいるが、説明の便宜上、図３ではデータ駆動部２００が２個のデータ駆動回路２１０、２２０で構成されている場合を一例として示し、これらのデータ駆動回路をそれぞれ第１データ駆動回路２１０、第２データ駆動回路２２０として示した。図３を参照して説明すると、第１データ駆動回路２１０は、第１シフト信号を発生させる第１シフトレジスタ２１１と、第１シフト信号に対応して直列に入力される映像信号を並列に出力する第１ラッチ部２１２と、映像信号の供給を受けてデータ信号を出力する第１Ｄ／Ａコンバータ２１３と、第１バッファ部２１４とを含んでいる。そして、第２データ駆動回路２２０は、第２シフト信号を発生させる第２シフトレジスタ２２１と、第２シフト信号に対応して直列に入力される映像信号を並列に出力する第２ラッチ部２２２と、映像信号の供給を受けてデータ信号を出力する第２Ｄ／Ａコンバータ２２３と、第２バッファ部２２４とを含んでいる。
【００２８】
そして、第１及び第２データ駆動回路２１０、２２０は、制御部４００から第１水平同期信号１Ｈｓｙｎｃと第２水平同期信号２Ｈｓｙｎｃの供給をそれぞれ受けることによって駆動する。制御部４００は、第１データ駆動回路２１０と第２データ駆動回路２２０の両方を駆動する場合には、第１水平同期信号１Ｈｓｙｎｃと第２水平同期信号２Ｈｓｙｎｃを第１データ駆動回路２１０と第２データ駆動回路２２０にそれぞれ供給する。このとき、第１水平同期信号１Ｈｓｙｎｃを供給してから所定時間が経過した後に、第２水平同期信号２Ｈｓｙｎｃを供給し、第１シフト信号は第１水平同期信号１Ｈｓｙｎｃに対応して発生し、第２シフト信号は第１水平同期信号１Ｈｓｙｎｃよりも遅く供給される第２水平同期信号２Ｈｓｙｎｃに対応して発生する。一方、制御部４００は、第２データ駆動回路２２０のみを駆動する場合には第２データ駆動回路２２０のみに第２水平同期信号２Ｈｓｙｎｃを供給し、第１データ駆動回路２１０には第１水平同期信号１Ｈｓｙｎｃを供給しないようにする。
【００２９】
まず、第１データ駆動回路２１０と第２データ駆動回路２２０の両方が第１及び第２水平同期信号１Ｈｓｙｎｃ、２Ｈｓｙｎｃの供給を受ける場合について説明すると、制御部４００から供給される映像信号Ｒ、Ｇ、Ｂ ｄａｔａが第１データ駆動回路２１０と第２データ駆動回路２２０に順次伝達される。
【００３０】
即ち、直列に伝送される映像信号Ｒ、Ｇ、Ｂ ｄａｔａが第１及び第２シフトレジスタ２１１、２２１によって第１及び第２ラッチ部２１２、２２２に伝達される。このとき、第１水平同期信号１Ｈｓｙｎｃによって第１シフトレジスタ２１１がまず動作し、その後に第２水平同期信号２Ｈｓｙｎｃによって第２シフトレジスタ２２１が動作する。従って、第１ラッチ部２１２にまずデータ信号が満たされた後に、第２ラッチ部２２２にデータ信号が満たされる。そして、第１及び第２ラッチ部２１２、２２２に映像信号Ｒ、Ｇ、Ｂ ｄａｔａの入力が完了すると、第１及び第２ラッチ部２１２、２２２は並列に映像信号Ｒ、Ｇ、Ｂ ｄａｔａを第１及び第２Ｄ／Ａコンバータ２１３、２２３に伝送する。第１及び第２Ｄ／Ａコンバータ２１３、２２３は、映像信号Ｒ、Ｇ、Ｂ ｄａｔａをコンバーティングしてデータ信号を生成した後、第１及び第２バッファ部２１４、２２４を介してデータ信号を出力する。
【００３１】
次に、第１データ駆動回路２１０と第２データ駆動回路２２０のうち、第２データ駆動回路２２０だけが第２水平同期信号２Ｈｓｙｎｃの供給を受ける場合には、制御部４００から供給される映像信号Ｒ、Ｇ、Ｂ ｄａｔａは第２データ駆動回路２２０のみに伝達される。
【００３２】
即ち、第１データ駆動回路２１０は動作を停止し、動作を行う第２データ駆動回路２２０では、第２シフトレジスタ２２１によって映像信号Ｒ、Ｇ、Ｂ ｄａｔａが第２ラッチ部２２２に伝達される。そして、第２ラッチ部２２２は並列に映像信号Ｒ、Ｇ、Ｂ ｄａｔａを出力して第２Ｄ／Ａコンバータ２２３に伝送する。第２Ｄ／Ａコンバータ２２３は映像信号Ｒ、Ｇ、Ｂ ｄａｔａをコンバーティングしてデータ信号を生成し、第２バッファ部２２４を介してデータ信号を出力する。
【００３３】
従って、部分駆動時には第１及び第２データ駆動回路２１０、２２０のうち、第２データ駆動回路２２０のみが動作することになるので、消費電力を低減することができる。
【００３４】
以上説明したように、本発明の最も好ましい実施形態について説明したが、本発明は、上記の記載に限定されるものではなく、特許請求の範囲に記載され、又は明細書に開示された発明の要旨に基づいて、当業者による様々な変形や変更が可能であることはもちろんであり、斯かる変形や変更が、本発明の範囲に含まれることは言うまでもない。
【符号の説明】
【００３５】
１００  画素部
２００  データ駆動部
３００  走査駆動部
４００  制御部
２１０  第１データ駆動回路
２２０  第２データ駆動回路
２１１  第１シフトレジスタ
２１２  第１ラッチ部
２１３  第１Ｄ／Ａコンバータ
２１４  第１バッファ部
２２１  第２シフトレジスタ
２２２  第２ラッチ部
２２３  第２Ｄ／Ａコンバータ
２２４  第２バッファ部
【図１】
2010164937.tif 000003
【図２】
2010164937.tif 000004
【図３】
2010164937.tif 000005